(57)【要約】【課題】胴筒の形状を工夫することで、ブーツの履き心地をよくし、かつブーツを履いた状態で脚を綺麗に見せる。【解決手段】足首より先を収納するブーツ本体１１と、ブーツ本体１１の開口から上方に連設され、足首からふくらはぎにかけてを収納する円筒状の胴筒１２とからなるブーツ１０において、胴筒１２を脚の内側に沿って湾曲する内側材１２ａと、外側に沿って湾曲し、かつその曲率が内側材１２ａよりも大きい外側材１２ｂとを突き合わせて縫い合わせることで形成した。胴筒１２の内側部よりも外側部のほうが膨らんでいるので、脚にフィットして履き心地がよく、胴筒１２が変形することもないので、脚が細く見える。【選択図】図２
0003135246.tif 000002
【実用新案登録請求の範囲】
【請求項１】
足首より先を収納するブーツ本体と、ブーツ本体の開口から上方に連設され、足首からふくらはぎにかけてを収納する円筒状の胴筒とからなるブーツにおいて、
前記胴筒の足首からふくらはぎにかけての外側に沿う外側部の膨らみを、足首からふくらはぎにかけての内側に沿う内側部の膨らみよりも大きくしたことを特徴とするブーツ。
【請求項２】
上記胴筒は、足首からふくらはぎにかけての内側に沿って湾曲する内側材と、足首からふくらはぎにかけての外側に沿って湾曲し、かつその曲率が前記内側材の曲率よりも大きい外側材とからなり、これら内外側材の縁部同士をブーツ本体の正面および背面で突き合わせ、この突合せ部を直線状の縫い目で縫い合わせることで形成される請求項１に記載のブーツ。
【請求項３】
上記胴筒のふくらはぎ収納部から足首収納部にかけての側面視の幅をほぼ均一にした請求項１または２に記載のブーツ。
【請求項４】
上記ブーツ本体の内面に、ゲルマニウム入りの布帛を貼り付けまたは縫い付けた請求項１から３のいずれかに記載のブーツ。
【考案の詳細な説明】
【技術分野】
【０００１】
この考案は、履き心地に優れ、履いた状態で脚が綺麗に見えるブーツに関する。
【背景技術】
【０００２】
ブーツは、足首より先を収納するブーツ本体と、ブーツ本体の開口から上方に連設された、足首からふくらはぎにかけてを収納する円筒状の胴筒とから構成されている。
このような胴筒は、通常は、足首からふくらはぎにかけての内側に沿って湾曲する内側材と、外側に沿って湾曲する外側材とから形成されており、これら内外側材の縁部同士を、それぞれブーツの正面と背面でつき合わせ、このつきあわせ部を縫い目で直線状に縫い合わせることで作製されていた。
【０００３】
ところで、このような従来のブーツに用いられる内側材と外側材は、相似形で湾曲の方向が逆向きの、いわゆる対称形（鏡像関係）になっていた。
これは対称形であると縫製しやすいこと、同じ型紙を用いて作製できるためコストが抑えられること、慣行上そうされてきたなどの理由による。
【０００４】
一方、人間の脚の内側と外側の形状は、正確に対称形とはなっておらず、個人差があるものの、一般には足首からふくらはぎにかけては、その外側のほうが内側よりも大きく膨んでいる。
なかでも、日本人の女性にはいわゆるＯ脚が多いが、このように脚が外側に向けて曲がっている場合、ふくらはぎの外側の膨らみが内側に比べて大きいことが一層顕著となっている。
また、肥満体で脚全体が太めである場合についても、同様に、ふくらはぎの外側の膨らみが特に大きい。
【０００５】
このように、脚の足首からふくらはぎにかけては、一般に外側のほうが膨らみがちであるにもかかわらず、従来のブーツの胴筒は、上述したように、対称形にある内外側材から作製されるなどして、内側と外側の膨らみがほぼ等しくなっていた。
そのため、脚の形状に胴筒の形状が対応していないのが現状であった。
【０００６】
こうして、脚とブーツの形状が対応していなかったので、従来のブーツは履き心地が悪く、脚が部分的に圧迫されるなどして、むくみがひどくなる問題があった。
【０００７】
また、このような胴筒とふくらはぎの形状との違いから、ブーツを履くと胴筒の内外側材はともに脚の外側方向に引っ張られるため、胴筒が変形してブーツの形状が崩れ、このため脚も綺麗に見えない問題があった。
【考案の開示】
【考案が解決しようとする課題】
【０００８】
よって、この考案は、胴筒の形状を工夫することで、ブーツの履き心地をよくし、かつブーツを履いた状態で脚を綺麗に見せる事を課題とする。
【課題を解決するための手段】
【０００９】
上記した課題を解決するため、この考案のブーツでは、胴筒の足首からふくらはぎにかけての外側に沿う外側部の膨らみを、内側に沿う内側部のふくらみよりも大きくしたのである。
【００１０】
このようにすると、胴筒の形状がほぼ脚の形状の対応するため、ブーツが脚によくフィットし、部分的に圧迫されることもなく、脚のむくみが軽減される。
【００１１】
さらに、ブーツを履いた状態で胴筒が外側に向けて引っ張られて変形することが抑えられて、ブーツの形状が保持されるため、脚が綺麗に見える。
【００１２】
胴筒を、足首からふくらはぎにかけての内側に沿って湾曲する内側材と、外側に沿って湾曲する外側材とを、その縁部同士をブーツの正面および背面で突き合わせ、縫い目で直線状に縫い合わせることで形成する場合には、外側材の湾曲の曲率を内側材の曲率よりも大きくするとよい。
【００１３】
このようにすれば、上記したような、外側部の膨らみが内側部の膨らみよりも大きな胴筒を容易に作製することができる。
【００１４】
また、内外側材の曲率が同じ場合には、ブーツを履くとこれら部材が外側に引っ張られ、ブーツの目立つ部分にある縫い目が外側に向かって湾曲するため、脚が太く見えるが、上記のように内外側材の曲率を違えると、外側に引っ張られることが抑えられるため、縫い目の直線状態が保持され、見た目がよく、脚も細く見える。
【００１５】
胴筒のふくらはぎ収納部から足首収納部にかけての側面視の幅をほぼ均一にすると、従来の足首部分が絞られた胴筒に比べて、ふくらはぎの太さが強調されず、より脚が細く見える。
【００１６】
ブーツ本体の内面に、ゲルマニウム入りの布帛を貼り付けるか縫い付けるかすると、ゲルマニウムの血行促進作用により、脚のむくみが抑えられ、一層脚が綺麗に見える。
【考案の効果】
【００１７】
ブーツの胴筒の外側部の膨らみを、内側部の膨らみよりも大きくしたので、ブーツが脚の形状にフィットして履き心地がよく、また履いた場合の胴筒の変形も少ないので、脚が綺麗に見える。
【考案を実施するための最良の形態】
【００１８】
図１および図２に示す実施形態のブーツ１０は、足首より先を収納するブーツ本体１１と、ブーツ本体１１の開口から上方に連設され、足首からふくらはぎにかけてを収納する円筒状の胴筒１２とからなる。
【００１９】
図２および図３のように、胴筒１２は、足首からふくらはぎにかけての内側に沿う内側部を構成する内側材１２ａと、足首からふくらはぎにかけての外側に沿う外側部を構成する外側材１２ｂの２つの部材から形成されている。
【００２０】
また、図４（ｂ）のように、内側材１２ａは、皮革、布帛、これらの複合材などからなる２ピースのシート体Ｉ１、Ｉ２の、対向する真っ直ぐな側縁同士を縫い合わせ、これを図３のように、半円弧状に湾曲させることで形成される。
同様に、図４（ａ）のように、外側材１２ｂは、皮革、布帛、これらの複合材などからなる２ピースのシート体Ｏ１、Ｏ２の、対向する外側に膨らんだ側縁同士を縫い合わせ、これを、図３のように、半円弧状に湾曲させることで形成されている。
このように、内側材１２ａの側縁は真っ直ぐであるのに対し、外側材１２ｂの側縁は外側に膨らんでいるため、図３のように、縫い合わせてできた、外側材１２ｂの湾曲の曲率は、内側材１２ａの曲率よりも大きくなっている。
【００２１】
内側材１２ａと外側材１２ｂから胴筒１２を作製するには、図２および図３のように、これら内外側材１２ａ、１２ｂの縁部同士を、ブーツ１０の正面および背面で突き合わせ、この突き合せ部分を直線状の縫い目１３で縫い合わせることによる。
こうして作製された、胴筒１２は、外側部の膨らみが、内側部の膨らみよりも大きくなっている。
【００２２】
また、図１のように、この胴筒１２は、足首収納部からふくらはぎ収納部にかけての幅が側面視でほぼ均一になっている。
【００２３】
さらに、図５のように、ブーツ本体１１は、その形状は従来と同様であるため、詳しい説明は省略するが、その底の先端部内面には、ゲルマニウム溶液を染み込ませた布帛１１ａが貼り合わせられている。
【００２４】
このブーツ１０を履くと、図２および図３のように、胴筒１２の形状が、外側が内側よりも膨らんで脚の形状に対応しているため、脚によくフィットし、脚が部分的に圧迫されることもなく、むくみが軽減される。
さらに、また、履いた状態で胴筒１２が外側に向けて引っ張られて変形することが抑えられ、ブーツ１０の形状が保持され、縫い目１３もまっすぐのままに維持されているので、脚が綺麗に見える。
【００２５】
また、胴筒１２の側面の幅がほぼ均一になっているので、ふくらはぎの太さが強調されず、一層脚が細く見える。
また、ブーツ本体１１内面のゲルマニウム布帛１１ａが脚の血行を促進するため、脚のむくみが抑えられ、さらに一層脚が細く見える。
【図面の簡単な説明】
【００２６】
【図１】ブーツの側面図
【図２】（ａ）はブーツの正面図、（ｂ）はブーツの背面図
【図３】胴筒の分解斜視図
【図４】（ａ）は外側材用シート体の平面図、（ｂ）は内側材用シート体の平面図
【図５】ブーツ本体先端部の横断面図
【符号の説明】
【００２７】
１０  ブーツ
１１  ブーツ本体
１１ａ  ゲルマニウム布帛
１２  胴筒
１２ａ  内側材（胴筒の内側部）
１２ｂ  外側材（胴筒の外側部）
１３  縫い目
Ｉ１、Ｉ２  内側材用シート体
Ｏ１、Ｏ２  外側材用シート体
【図１】
0003135246.tif 000003
【図２】
0003135246.tif 000004
【図３】
0003135246.tif 000005
【図４】
0003135246.tif 000006
【図５】
0003135246.tif 000007